(57)【特許請求の範囲】
【請求項１】
搬送手段により媒体を搬送し、一時集積手段に集積して再び搬出する一時集積部を備えた自動取引装置であって、
前記搬送手段を回転させるギアと前記一時集積手段を回転させるギア間に押し込んで噛み合わせ前記両方のギアを同時に回転可能とした操作ノブを設けたことを特徴とする自動取引装置。
【請求項２】
前記搬送手段は、駆動ローラと、対向して備えた従動ローラとからなり、
前記一時集積手段は、媒体を巻きつけて集積するドラムであることを特徴とする請求項１記載の自動取引装置。
【請求項３】
前記一時集積部の外側方向に付勢する付勢手段を前記操作ノブに設けたことを特徴とする請求項１記載の自動取引装置。
【請求項４】
前記一時集積部を開いたときに当該状態を維持するとともに前記操作ノブ周辺位置から退避し、前記一時集積部を閉じるときに前記操作ノブ周辺位置に移動するステイを設けたことを特徴とする請求項１記載の自動取引装置。
【請求項５】
前記周辺位置は、前記操作ノブの内側へのスライドを抑制する位置または前記操作ノブの操作を抑制する外側位置であって、
前記ステイは、固定位置に取り付けられた支軸を支点として回動可能とし、前記一時集積部のカバーに取り付けた突起が嵌め込まれてスライドするスライド孔を備えたことを特徴とする請求項４記載の自動取引装置。
【発明の詳細な説明】
【技術分野】
【０００１】
本発明は、現金等の媒体を投入して所望の取引を行う現金自動預払機等の自動取引装置における残留媒体の除去技術に関するものである。
【背景技術】
【０００２】
一般に、現金自動預払機等の自動取引装置では、取扱う媒体として例えば紙幣が入金されると鑑別部にて鑑別され計数されて一時集積部に一旦集積され、入金額が確定すると紙幣貯蔵部に搬送されて集積されるようになっている。このとき、紙幣がジャム等により搬送エラーになったときは係員が操作ノブを手動で回転させ搬送路内に残留した紙幣を除去できるようになっている。
【０００３】
一時集積の方式としては、例えば、円筒形状のドラムにテープにより紙幣を巻きつけて集積を行う方式があり、この方式の一時集積部は、図７に示すように、利用者が投入した紙幣７ａをドラム６０に搬送するための搬送ローラ部４０と、搬送ローラ部４０から搬送されてきた紙幣７ｂを図示しないテープにより巻きつけて集積するドラム６０とから構成されている。
【０００４】
そして、搬送ローラ部４０は、駆動ローラ４１ａと同軸上の駆動ローラ４１ｂと、それぞれの駆動ローラに押し当てられて連れ回りする従動ローラ４２ａと同軸上の従動ローラ４２ｂとから構成される。
【０００５】
そして、駆動ローラ４１ａ、４１ｂのローラ軸４３の一端にはギア４４が設けられ、搬送モータ４５のモータ軸４６上にギア４７が設けられ、このギア４４とギア４７を噛み合わせて搬送モータ４５の回転を駆動ローラ４１に伝達する構成となっている。
【０００６】
一方、ドラム６０側は、紙幣７ｂを巻き付けるドラム６０のドラム軸６１上にギア６２を設け、ドラム駆動モータ６３のモータ軸６４上にギア６５を設け、ギア６２とギア６５を噛み合わせてドラム駆動モータ６３の回転をドラム６０に伝達する構成となっている。
【０００７】
そして、残留紙幣を取り除くためのものとして、ドラム軸６１上のギア６２の外側にはドラム６０を回転させるドラムノブ７０が設けられ、また、ローラ軸４３上のギア４４の外側には駆動ローラ４１とともに従動ローラ４２を回転させるローラノブ５０が設けられている。
【０００８】
以上の構成により、従来の一時集積時３０は、搬送モータ４５の駆動によりギア４７が矢印Ｆ方向に回転しこれに噛み合ったギア４４がＥ方向に回転し、駆動ローラ４１をＥ方向に回転させ、これに対向して設けた従動ローラ４２が矢印Ｄ方向に連れ回りして紙幣７ａを挟持してドラム６０の方向、すなわち矢印Ｂ方向に搬送する。
【０００９】
そして、駆動モータ６３の駆動によりギア６５が矢印Ｈ方向に回転しこれに噛み合ったギア６２がＧ方向に回転し、ドラム６０が矢印Ｃ方向に回転して紙幣７ｂをドラム６０に図示しないテープにより巻きつけて集積する。
【００１０】
一方、ドラム６０周辺にて搬送エラー等が発生したときは、ドラムノブ７０を矢印Ｇ方向とは逆に回し、矢印Ｃ方向とは逆に紙幣７ｂを搬送し、次に、ローラノブ５０を矢印Ｅ方向とは逆に回し搬送ローラ部４０から矢印Ｂとは逆方向に搬送して一時集積部３０から排出できるようになっている。
【００１１】
このとき、ドラム６０と搬送ローラ部４０は分離された駆動系となっており、ドラムノブ７０だけを回しても搬送ローラ部４０は回転せず、搬送ローラ部４０の箇所で紙幣７が詰まってしまうため、片手では、ドラムノブ７０、ローラノブ５０を交互に回さなければならず、紙幣７の除去に時間がかかってしまい、両手でドラムノブ６０とローラノブ４０を同時に回すようにすると両手がふさがってしまい、除去した紙幣７を受け取れず落下してしまうなどの問題があった。
【００１２】
上記問題を解決するために、特許文献１のシート搬送装置のように、第１の駆動モータで上流側の搬送ロ−ラを回転駆動し、第２の駆動モータで下流側の搬送ロ−ラを回転駆動する搬送装置において、搬送時は、前記第１および第２の回転伝達系から第３の回転伝達系へ回転が伝わることをワンウェイクラッチ機構で阻止し、ジャム処理時は、操作ノブの回転を第３の回転伝達系を介して第１及び第２の回転伝達系に伝達し、各搬送ロ−ラを回転してジャム紙を送り出し、１つの操作ノブでジャム処理を行う技術はあった（例えば、特許文献１参照。）
【先行技術文献】
【特許文献】
【００１３】
【特許文献１】特許３２０７５０４号公報
【発明の概要】
【発明が解決しようとする課題】
【００１４】
しかしながら、上記特許文献１の方法では、第１と第２の回転伝達系間に高価なワンウェイクラッチ機構を設ける必要があり、また、ワンウェイクラッチ機構を設けるために、一時集積部のように一時集積した紙幣を再び搬出するための集積時とは逆方向にドラム、搬送ローラを回転させる機構では、これを採用することができなかった。
【００１５】
また、上記特許文献１の方法では、一時集積部を閉じた状態（以下、「クローズ状態」という）でも、一時集積部を開いた状態（以下、「オープン状態」いう）でも、いずれの場合でも操作ノブを回転させることができてしまい、運用時に係員が誤って操作ノブを操作してしまうという問題もあった。
【課題を解決するための手段】
【００１６】
本発明は、前述の課題を解決するため次の構成を採用する。すなわち、搬送手段により媒体を搬送し、一時集積手段に集積して再び搬出する一時集積部を備えた自動取引装置であって、前記搬送手段を回転させるギアと前記一時集積手段を回転させるギア間に押し込んで噛み合わせ前記両方のギアを同時に回転可能とした操作ノブを設けた。
【発明の効果】
【００１７】
本発明の自動取引装置によれば、搬送手段により媒体を搬送し、一時集積手段に集積して再び搬出する一時集積部を備えた自動取引装置であって、前記搬送手段を回転させるギアと前記一時集積手段を回転させるギア間に押し込んで噛み合わせ前記両方のギアを同時に回転可能とした操作ノブを設けたので、双方向の搬送を要する一時集積部を有する自動取引装置においても簡単な構成で容易にジャム紙幣を除去することができる。
【図面の簡単な説明】
【００１８】
【図１】実施例１の自動取引装置の概観斜視図である。
【図２】実施例１の自動取引装置の図１矢印Ａ方向から見た側面図である。
【図３】実施例１の自動取引装置の制御系ブロック図である。
【図４】実施例１の自動取引装置の一時集積部の構成図および動作説明図である。
【図５】実施例１の自動取引装置の一時集積部の動作説明図である。
【図６】変形例の自動取引装置の一時集積部の動作説明図である。
【図７】従来の自動取引装置の一時集積部の構成および動作説明図である。
【発明を実施するための形態】
【００１９】
以下、本発明に係わる実施の形態例を、図面を用いて説明する。図面に共通する要素には同一の符号を付す。なお、以下の実施例の説明では、媒体として紙幣を一例として説明するが、紙幣以外の紙葉状の媒体であってもよい。
【実施例１】
【００２０】
（構成）
実施例１の自動取引装置は、図１のような外観をしており、硬貨入出金口２、紙幣入出金口３、操作部４、通帳挿入口５、カード挿入口６を備えている。
【００２１】
硬貨入出金口２および紙幣入出金口３は、それぞれ硬貨、紙幣が投入されるとともに、これらが排出される開口部である。硬貨入出金口２および紙幣入出金口３には、それぞれシャッタが設けられ、シャッタが駆動されることにより硬貨入出金口２および紙幣入出金口３がそれぞれ開閉される。これらの奥部には、後述する硬貨および紙幣の入出金処理を行う硬貨処理部２５および紙幣処理部２６が設けられている。
【００２２】
通帳挿入口５は、取引で使用される通帳がここから挿入され、取引が終了すると通帳が排出される部分で、その奥部には、後述する通帳処理部２３が設けられている。カード挿入口６は、カードが挿入または排出される部分で、その奥部には、後述するカード処理部２１が設けられている。
【００２３】
操作部４は、取引に際して操作画面を表示するＬＣＤと、取引選択、暗証番号や取引金額などを入力するタッチパネルが一体化されて構成される。
【００２４】
図２は、実施例１の自動取引装置の内部構成を示し図１の矢印Ａ方向から見た側面図である。なお、硬貨処理部２５は簡略化のために省略している。同図に示したように、実施例１の自動取引装置の内部は、利用者が操作する操作部４や紙幣入出金口３などからなる接客部３８、紙幣の真偽を判定する鑑別部３９、入金紙幣を一時的に保留する一時集積部３０、そして、装置下側には、紙幣貯蔵部３１として金種別のカセットが設けられている。
【００２５】
また、精査取引時のリジェクト紙幣や利用者が受け取らなかったリジェクト紙幣などを収納しておくリジェクト紙幣収納部３３が設けられている。
【００２６】
次に、実施例１の自動取引装置の制御系は、図３の制御系ブロック図に示したように、後述の各部の制御を行う主制御部２０と、表示されるガイダンスに従い利用者が操作する操作部４とが設けられている。
【００２７】
さらに、実施例１の自動取引装置の制御系には、キャッシュカード等に記録された口座番号等の情報のリードライトを行うカード処理部２１、操作ガイダンス等を音声出力する音声案内部２２、口座番号等の情報が記録された通帳の磁気ストライプのリードライトおよび通帳への印字制御を行う通帳処理部２３、取引明細を印字出力する明細票処理部２４、硬貨の入出金制御を行う硬貨処理部２５、紙幣の入出金制御を行う紙幣処理部２６が設けられている。
【００２８】
さらに、各部に電源を供給する電源部２７、主制御部２０の記憶部であり各種の制御パラメータを格納できる記憶手段としてのメモリ部２８、ホストコンピュータ５０とのインタフェイスを制御するインタフェイス部２９が設けられている。
【００２９】
次に、実施例１の自動取引装置の一時集積部３０の構成を、図４を用いて以下説明する。同図に示したように、実施例１の自動取引装置の一時集積部３０は、利用者が投入した紙幣７ａを一時集積手段の一例であるドラム６０に搬送するための搬送ローラ部４０と、搬送ローラ部４０から搬送されてきた紙幣７ｂを図示しないテープにより巻きつけて集積するドラム６０とから構成される。
【００３０】
そして、搬送ローラ部４０は、駆動ローラ４１ａと同軸上の駆動ローラ４１ｂと、それぞれの駆動ローラに押し当てられて連れ回りする従動ローラ４２ａと同軸上の従動ローラ４２ｂとから構成される。
【００３１】
そして、駆動ローラ４１ａ、４１ｂのローラ軸４３の一端にはギア４４が設けられ、搬送モータ４５のモータ軸４６上にギア４７が設けられ、このギア４４とギア４７を噛み合わせて搬送モータ４５の回転を駆動ローラ４１に伝達する構成となっている。
【００３２】
一方、ドラム６０側は、紙幣７ｂを巻き付けるドラム６０のドラム軸６１上にギア６２を設け、ドラム駆動モータ６３のモータ軸６４上に回転するギア６５を設け、ギア６２とギア６５を噛み合わせてドラム駆動モータ６３の回転をドラム６０に伝達する構成となっている。
【００３３】
そして、残留紙幣を取り除くための操作ノブとして、ギア６５とギア４７の間に押し込んで噛み合わせるギア形状を有し、手動で回転させることができる形状となっている操作ノブ１００が設けられている。
【００３４】
この操作ノブ１００は、ギア軸１０１の軸方向（矢印Ｊ、矢印Ｋ方向）にスライドできる構造となっており、ギア軸１０１にはコイルスプリング１０２が設けられている。
【００３５】
操作ノブ１００を図中矢印Ｊ方向に手で押し込むと、ギア６５とギア４７の両方に噛み合い、手を離すとコイルスプリング１０２の付勢により、矢印Ｋ方向に操作ノブ１００が押し戻され、ギア６５及びギア４７と噛み合わなくなるようになっている。
【００３６】
また、一時集積部３０の操作ノブ１００の内側には、図５にて詳細後述のように、一時集積部３０をオープン状態としたときに、オープン状態を維持するステイ１１０が設けられている。このステイ１１０は、固定位置、例えば自動取引装置１本体に取り付けられた支軸１１０ａを支軸として回動可能となっており、一時集積部３０のカバー３０ａに設けられた突起３０ｂが嵌め込まれてスライドするスライド孔１１０ｂを備える。
【００３７】
以上のようなステイ１１０を備えることにより、一時集積部３０がクローズ状態のときには操作ノブ１００の内側に入り込んで操作ノブ１００を押し込んでもステイ１１０と干渉して矢印Ｊ方向に移動せず、操作ノブ１００のギアがギア６５及びギア４７と噛み合わないようにしている。
【００３８】
（動作）
以上の構成により、実施例１の自動取引装置の一時集積部は以下のように動作する。この動作を図４および図５の動作説明図を用いて以下詳細に説明する。なお、利用者が入金した紙幣７を一時集積するときの動作は、従来の動作と同様であるので簡略化のために、その詳細な説明は省略する。
【００３９】
一時集積部３０にて搬送エラー等が発生したときは、一時集積部３０のカバー３０ａを開き、操作ノブ１００を矢印Ｊ方向に押し込み、ギア６５とギア４７の両方に連結させて、矢印Ｐ方向に回転させる。
【００４０】
すると、操作ノブ１００と噛み合ったギア６５が矢印Ｇ方向に回転しギア６５と噛み合ったギア６２が矢印Ｒ方向に回転しドラム６０に残留した紙幣７ｂが矢印Ｍ方向に繰り出される。
【００４１】
一方、操作ノブ１００と噛み合ったギア４７も矢印Ｓ方向に回転し、これと噛み合ったギア４４が矢印Ｔ方向に回転し、駆動ローラ４１も矢印Ｔ方向に回転し、対向して配置された従動ローラ４２が矢印Ｕ方向に連れ回りし、挟持された残留紙幣７ａが矢印Ｎ方向に排出される。
【００４２】
ところで、一時集積部３０をカバー３０ａとともに閉じたクローズ状態、すなわち、図５（ａ）のように、一時集積部３０を矢印Ｘ方向に閉じたときは、ステイ１１０は、ステイ１１０のスライド孔１１０ｂに沿って一時集積部のカバー３０ａに設けた突起３０ｂが図５（ａ）の位置にスライドし支軸１１０ａを支軸として時計方向に回動し、操作ノブ１００の内側の位置となり、操作ノブ１００を図５紙面下側、すなわち図４矢印Ｊ方向に押し込んでも、ステイ１１０と干渉して奥まで押し込めず、ギア６５及びギア４７と連結することなく、操作ノブ１００を回転させてもドラム６０と搬送ローラ部４０は回転しない。
【００４３】
一方、一時集積部３０をカバー３０ａとともに矢印Ｙのように開き、オープン状態とすると、図５（ａ）のクローズ状態から図５（ｂ）の状態となり、ステイ１１０のスライド孔１１０ｂに沿って一時集積部３０ａに設けた突起３０ｂが図５（ｂ）の位置までスライドし支軸１１０ａを支軸として反時計方向に回動し、ステイ１１０が操作ノブ１００の内側から退避する。
【００４４】
このオープン状態で、操作ノブ１００を押し込むと、ステイ１１０とは干渉することなくギア６５とギア４７の両方に操作ノブ１００のギア部が連結され、前述のように、操作ノブ１００によりドラム６０と搬送ローラ部４０の両方を同時に回転させ、ドラム６０に残留した紙幣７ｂをドラム６０から繰り出して搬送路ローラ部４０を経由して一時集積部３０から排出させることができる。
【００４５】
なお、以上の実施例の説明では、搬送ローラ部とドラム間のジャム紙幣を除去する場合を説明したが、駆動系がそれぞれ分離された搬送上流の搬送ローラと搬送下流の搬送ローラ間のジャム紙幣を除去する場合でも、これらを駆動するギア間に本発明の操作ノブを押し込んで噛み合わせて回転可能とするようにすればよい。
【００４６】
また、以上の実施例の説明では、図５のようにステイ１１０を操作ノブ１００の内側に設ける例を説明したが、図６に示したように、操作ノブ１００の外側にステイ１１０を配置し、一時集積部３０を閉じたクローズ状態では図６（ａ）のようにステイ１１０で操作ノブ１００を覆うようにして操作できないようにし、一時集積部３０を開いたオープン状態では図６（ｂ）のようにステイ１１０が操作ノブ１００から離れ、操作ノブ１００を操作できるようにしてもよい。
【００４７】
（実施例１の効果）
以上詳細に述べたように実施例１の自動取引装置によれば、紙幣を搬送ローラ部により搬送しドラムに巻きつけて一時集積し、一時集積した紙幣をドラムから繰り出して搬送ローラ部から排出する一時集積部を備えた自動取引装置において、前記ドラムを回転させるギアと搬送ローラを回転させるギア間に押し込んで噛み合わせ前記両方のギアを同時に回転可能とした操作ノブを設けたので、双方向の搬送を要する一時集積部を有する自動取引装置においても簡単な構成で容易にジャム紙幣を除去することができる。
【００４８】
また、前記一時集積部を開いたときに当該状態を維持するとともに前記操作ノブ周辺位置から退避し、前記一時集積部を閉じるときに操作ノブ周辺位置に移動するステイを設けたので、一時集積部を開けて残留紙幣を排出するときのみ前記操作ノブによりドラムおよび搬送ローラ部を同時に回転させるようにすることができる。
【産業上の利用可能性】
【００４９】
以上述べたように、本発明は、投入された現金等の媒体を一時集積して処理する現金自動預払機等の自動取引装置に広く用いることができる。
【符号の説明】
【００５０】
１    自動取引装置
７ａ、７ｂ  紙幣
３０  一時集積部
３０ａ  一時集積部カバー
３０ｂ  突起
４０  搬送ローラ部
４１ａ、４１ｂ  駆動ローラ
４２ａ、４２ｂ  従動ローラ
４４、４７、６２、６５  ギア
４５  搬送モータ
６０  ドラム
６３  ドラム駆動モータ
１００  操作ノブ
１０２  コイルスプリング
１１０  ステイ
１１０ａ  支軸
１１０ｂ  スライド孔
【図１】
0005458875.tif 000002
【図２】
0005458875.tif 000003
【図３】
0005458875.tif 000004
【図４】
0005458875.tif 000005
【図５】
0005458875.tif 000006
【図６】
0005458875.tif 000007
【図７】
0005458875.tif 000008